(57)【要約】      （修正有）【課題】柔軟性を備え、落下や衝突によって室内床板や家具等が傷付くのを防止するとともに、内部の収納物についても落下や衝突による衝撃から保護し、また、外観的にソフトなイメージを醸し出せる収納容器を提供する。【解決手段】弾性変形可能な軟質材で一体に形成し、上端が開口し、楕円筒状の周壁３と下端に形成された底壁４とからなる本体２と、楕円の長軸の両側端の周壁３において周壁３に沿って上下方向に連続して設けられた一対のリブ１０と、開口８の周縁部に設けられた鍔部９とを備え、周壁３は、開口側から底壁側に向けて本体２の内部側に傾斜する傾斜面に形成し、一対のリブ１０を両側端部７とする一方の正面部５には互いに斜めに交差する２本の突条１２を形成するとともにその突条１２の中央部に線状溝１３を形成し、反対側の背面部６は平坦な曲面に形成した。【選択図】図２
0003133174.tif 000002
【実用新案登録請求の範囲】
【請求項１】
弾性変形可能な軟質材で形成された収納容器であって、
上端が開口し、筒状の周壁と下端に形成された底壁とからなる本体と、
前記周壁に沿って上下方向に突設されたリブと
を備えたことを特徴とする収納容器。
【請求項２】
弾性変形可能な柔軟性材料で一体に形成されたことを特徴とする請求項１に記載の収納容器。
【請求項３】
前記周壁は、楕円筒状に形成されたことを特徴とする請求項１または請求項２に記載の収納容器。
【請求項４】
前記上端の開口は、底壁より大きい面積を有し、
前記周壁は、前記開口側から前記底壁側に向けて傾斜する傾斜面に形成されたことを特徴とする請求項１乃至請求項３のいずれかに記載の収納容器。
【請求項５】
前記リブは、楕円の長軸の両側端の周壁に対向して一対形成されたことを特徴とする請求項１乃至請求項４のいずれかに記載の収納容器。
【請求項６】
前記リブは、表面に意匠性を有する模様が形成されたことを特徴とする請求項１乃至請求項５のいずれかに記載の収納容器。
【請求項７】
前記開口は、その周縁部に鍔部を備えたことを特徴とする請求項１乃至請求項６のいずれかに記載の収納容器。
【請求項８】
前記周壁は、その外表面の一部または全部に過度の弾性変形を抑制する突条が形成されたことを特徴とする請求項１乃至請求項７のいずれかに記載の収納容器。
【請求項９】
前記周壁は、その外表面の一部または全部における外部から見られ易い箇所に意匠性を有する突条が形成されたことを特徴とする請求項１乃至請求項８のいずれかに記載の収納容器。
【請求項１０】
前記周壁は、互いに斜めに交差する２本の突条を備えたことを特徴とする請求項１乃至請求項９のいずれかに記載の収納容器。
【請求項１１】
前記底壁は、その全面が載置面と当接する平面に形成されたことを特徴とする請求項１乃至請求項１０のいずれかに記載の収納容器。
【請求項１２】
弾性変形可能な軟質材で一体に形成された収納容器であって、
上端が開口し、楕円筒状の周壁と下端に形成された底壁とからなる本体と、
前記楕円の長軸の両側端の周壁において該周壁に沿って上下方向に連続して設けられた対向する一対のリブと、
前記開口の周縁部に設けられた鍔部と
を備え、
前記上端の開口は、前記底壁より大きい面積を有し、
前記周壁は、前記開口側から底壁側に向けて傾斜する傾斜面に形成されているとともに、前記一対のリブを両端部とする一方の半面部分は互いに斜めに交差する２本の突条が設けられ、反対側である他方の半面部分は平坦な曲面に形成され、
前記突起の中央部に線状溝が形成され、
前記底壁は、その全面が載置面と当接する平面に形成されたことを特徴とする収納容器。
【請求項１３】
前記本体に、屑が収納されることを特徴とする請求項１乃至請求項１２のいずれかに記載の収納容器。
【考案の詳細な説明】
【技術分野】
【０００１】    本考案は、居間、台所周辺、洗面所、浴室などで使用され、屑入れとしても、小物入れとしても使用でき、液体、粉粒体等も収納可能である収納容器に関するものであり、特に、革製品のような風合いを醸し出すとともに、落下、衝突等から内外の物品を保護する収納容器に関するものである。
【背景技術】
【０００２】    従来より、この種の収納容器に関しては多くの技術が開示されており、例えば、実開平５−６５９０２号公報には、ポリエチレン、ポリプロピレン等の熱可塑性合成樹脂を使用した、有底円筒状のごみ箱が記載されている。また、実開平５−６８９０８号公報には、周壁がエキスパンドメタルで形成された円筒状のくず入れが記載されている。
【特許文献１】実開平５−６５９０２号公報
【特許文献２】実開平５−６８９０８号公報
【考案の開示】
【考案が解決しようとする課題】
【０００３】    しかし、前記実開平５−６８９０８号公報に記載のくず入れは、金属製のエキスパンドメタルで形成されているので、誤って落下させたときに室内の床板等を傷付けることがあり、くず入れが机、たんす、テーブルなどの家具に当たったときに家具を傷付けることがある。また、くず入れ自体が変形してしまうことがあり、取り扱い時に指をけがしたりする恐れもあった。また、前記実開平５−６５９０２号公報に記載のごみ箱は、熱可塑性合成樹脂で形成されているために幾分落下や衝突による衝撃は緩和されはするものの、同様に落下や衝突によって床板、家具を傷付けたり、ごみ箱自身も変形することがある。【０００４】    更に、これらのくず入れ、ごみ箱は柔軟な弾力性を備えていないと思われ、外観的に硬いイメージを与え、ソフトな感触に乏しいものである。【０００５】    また、収納容器をくず入れやごみ箱としてでなく、日用品、化粧品等の小物入れとして使用する場合は、外部から衝撃が加わったときに、内部の収納物についても保護できることが望ましい。【０００６】    そこで、本考案は、柔軟性を備え、落下や衝突によって室内床板や家具等が傷付くのを防止できるとともに、内部の収納物についても落下や衝突による衝撃から保護でき、また、外観的にソフトなイメージを醸し出すことができる収納容器の提供を課題とするものである。
【課題を解決するための手段】
【０００７】  請求項１の収納容器は、弾性変形可能な軟質利で形成されたものであって、上端が開口し、筒状の周壁と下端に形成された底壁とからなる本体と、前記周壁に沿って上下方向に突設されたリブとを備えている。【０００８】    弾性変形可能な軟質材として、例えば、熱可塑性エラストマーを使用できる。ここで、弾性変形可能な軟質材で形成すると、全体的に剛性が低下し、形状が安定しにくくなる虞があるところ、周壁に沿って上下方向にリブが突設されているので、形状が全体的に大きく変形したり、周壁が伸縮することによって亀裂が発生したりするのを防止することができる。【０００９】    この収納容器は、弾性変形可能な軟質材で形成されているので、落下したり、家具等と衝突したりしても、衝突エネルギは収納容器にひずみエネルギとして吸収される結果、床板、家具等が変形したり、傷付くのが防止され、収納容器自身の傷付きも防止される。また、外観的にソフトな質感が得られる。【００１０】    請求項２の収納容器は、特に、請求項１の収納容器が弾性変形可能な柔軟性材料で一体に形成されている。ここで、収納容器は弾性変形可能な柔軟性材料の射出成形等によって簡単に一体に形成できる。【００１１】  請求項３の収納容器は、周壁が楕円筒状に形成されている。【００１２】  請求項４の収納容器は、上端の開口が、底壁より大きい面積を有し、周壁は、前記開口側から前記底壁側に向けて傾斜する傾斜面に形成されている。【００１３】  請求項５の収納容器は、リブが、楕円の長軸の両側端の周壁に対向して一対形成されている。これにより、特に上下方向の剛性が高くなる。また、楕円の短軸方向の両側から周壁を押圧して長軸の両側端の周壁を折り曲げるような外力が加わることによってその長軸の両側端の周壁が水平方向に伸縮して薄肉となったり亀裂が発生したりするのを防止できる。【００１４】  請求項６の収納容器は、リブの表面に意匠性を有する模様が形成されている。即ち、リブは収納容器の剛性を高め、前記伸縮による薄肉化及び亀裂の発生を防止する効果に加え、このリブを利用して立体的な模様を形成し得る。【００１５】    請求項７の収納容器は、開口の周縁部に鍔部を備えている。鍔部は、例えば、水平方向に突出する断面四角形状の突起を周縁部に沿って環状に設けて形成できる。【００１６】  請求項８の収納容器は、周壁の外表面の一部または全部に過度の弾性変形を抑制する突条が形成されている。【００１７】  請求項９の収納容器は、周壁の外表面の一部または全部における外部から見られ易い箇所に意匠性を有する突条が形成されている。【００１８】  請求項１０の収納容器は、周壁が、互いに斜めに交差する２本の突条を備えている。【００１９】    請求項１１の収納容器は、底壁の全面が載置面と当接する平面に形成されている。ここで、載置面とは、床板面などの収納容器が設置される面をいう。【００２０】  請求項１２の収納容器は、弾性変形可能な軟質材で一体に形成されたものであって、上端が開口し、楕円筒状の周壁と下端に形成された底壁とからなる本体と、前記楕円の長軸の両側端の周壁において該周壁に沿って上下方向に連続して設けられた対向する一対のリブと、前記開口の周縁部に設けられた鍔部とを���え、前記上端の開口は、前記底壁より大きい面積を有し、前記周壁は、前記開口側から底壁側に向けて傾斜する傾斜面に形成されているとともに、前記一対のリブを両端部とする一方の半面部分は互いに斜めに交差する２本の突条が設けられ、反対側である他方の半面部分は平坦な曲面に形成され、更に前記突起の中央部に線状溝が形成され、前記底壁は、その全面が載置面と当接する平面に形成されている。【００２１】    請求項１３の収納容器は、本体に、屑が収納されるものである。なお、ここで言う屑にはごみが含まれる。
【考案の効果】
【００２２】  請求項１の収納容器は、弾性変形可能な軟質材で形成されているので、落下や衝突による衝撃エネルギーを弾性変形によって吸収する。これにより、床板、家具等の傷付き及び変形を防止できるとともに、収納容器自身及びその内部の収納物を保護することができる。また、弾性変形可能な軟質材で形成されていることにより、外観的にソフトな質感を得ることができ、全体的に皮革製品、レザー製品、布製品等の高級感が漂う外観に仕上げることも可能である。更に、周壁に沿って上下方向にリブが突設されているので、形状が全体的に大きく変形したり、周壁が伸縮することによって亀裂が発生したりするのを防止することができ、長期間に至って品質を維持できる。【００２３】    請求項２の収納容器は、請求項１の収納容器が弾性変形可能な柔軟性材料で一体に形成されているので、射出成形等によって簡単に形成でき、製品コストを下げることができる。【００２４】  請求項３の収納容器は、周壁が楕円筒状に形成されているので、単純な円筒形状とは異なったイメージの外観が得られる。【００２５】  請求項４の収納容器は、上端の開口が底壁より大きい面積を有し、周壁が開口側から前記底壁側に向けて本体の内部側に傾斜しているので、収納物を収納し易くなるとともに、傾斜面のないものと比べて意匠性を向上できる。【００２６】  請求項５の収納容器は、リブが、楕円の長軸の両側端の周壁に対向して一対形成されているので、特に上下方向の剛性が高くなり、また、外力に伴う伸縮等による周壁の薄肉化や亀裂の発生を防止でき、長期間使用による品質の低下を防止できる。【００２７】  請求項６の収納容器は、リブに立体的な模様を形成でき、意匠性が向上する。【００２８】    請求項７の収納容器は、開口の周縁部に鍔部を備えているので、弾性変形可能な軟質材で形成したものであっても、開口の周縁部の強度を十分に確保することができる。【００２９】  請求項８の収納容器は、周壁の外表面の一部または全部に過度の弾性変形を抑制する突条が形成されているので、周壁が補強され、内部の収納物を保護できる。【００３０】  請求項９の収納容器は、周壁の外表面の一部または全部における外部から見られ易い箇所に意匠性を有する突条が形成されているので、突条による補強効果に加え、意匠性の向上効果を得ることができる。【００３１】  請求項１０の収納容器は、周壁が、互いに斜めに交差する２本の突条を備えているので、周壁が補強されるとともに、デザイン的に、皮革製品、レザー製品、布製品のような高級感を醸し出すことが可能である。【００３２】    請求項１１の収納容器は、底壁の全面が載置面と当接する平面に形成されているので、載置面との接触面積が大きくなり、収納容器を載置面の一定位置に安定して保持できる。【００３３】  請求項１２の収納容器は、上記各請求項と同様の効果を奏する。【００３４】  請求項１３の収納容器は、屑入れとして適用できる。
【考案を実施するための最良の形態】
【００３５】    以下、本考案の実施形態を図１乃至図５に基づいて説明する。なお、本実施形態において、収納容器は屑入れに適用したものを示す。
図１乃至図４において、収納容器１は、上端に開口８を有し、楕円筒状の周壁３と下端に形成された底壁４とからなる本体３と、前記楕円の長軸の両側端部７の周壁３に沿って上下方向に設けられた一対のリブ１０とを備えている。【００３６】    前記収納容器１は熱可塑性エラストマー（例えば、ＡＥＳ株式会社製、商標名：サントプレーン）、軟質合成樹脂及び合成ゴム等の弾性変形可能な軟質材で一体に形成されており、射出成形等の一体成形により形成することができる。これにより、収納容器１は簡単に形成でき、製品コストを下げることができる。【００３７】  上端の開口８は、その周縁部に全周に至って水平方向に突出する鍔部９が設けられている。ここで、開口８は、底壁４より大きい面積を有している。これにより、収納物を収納し易くなる。また、開口８が鍔部９によって補強される。【００３８】  周壁３は、収納容器１を室内等に置いたときに外部から見られ易い正面部５と、その裏側の背面部６と、左右一対の側端部７とが形成されている。正面部５は一対のリブ１０を両端部とする一方の半面部分に形成されており、背面部６は反対側の半面部分に形成され、左右の側端部７はそれらの中間部分に形成されている。周壁３は開口８側から底壁４側にかけて傾斜する傾斜面に形成されている。【００３９】  また、周壁３は、全体的に外表面が極く小さい凹凸の絞り模様に形成されている。更に、周壁３は、図１及び図２（ｂ）に示すように、正面部５に開口８側から底壁４側に至って２本の突条１２が互いに斜めに交差した状態で形成され、背面部６は平坦な曲面に形成されている。この突条１２はなだらかに膨出する山条に形成され、その中央部には、図３（ｂ）及び図４に示すような、線状溝１３が突条１２に沿って形成されている。このように、周壁３は外表面全体が絞り模様に形成されているとともに、突条１２と線状溝１３とが相俟って、皮革の繋ぎ部分に似た外観を呈している。また、突条１２は周壁３の正面部５が過度に弾性変形するのを抑制する補強部としても機能する。【００４０】  底壁４は、その全面が室内の床面、浴室のタイル面等の載置面と当接する平面に形成されている。これにより、載置面との接触面積は大きくなり、収納容器１は載置面の一定位置に安定して保持される。但し、本考案を実施する場合、底壁４の全面が載置面と当接することを強いるものではない。【００４１】    リブ１０は、四角柱状に形成され、楕円の長軸の側端部７の周壁３に沿って上下方向に連続して一対設けられている。リブ１０の相反する２面即ち正面部５側及び背面部６側に面する２面において周壁３寄りの部分には上下方向に連続して縫い目模様１１が一体に形成されている。この縫い目模様１１によって皮革製品の縫い目様の外観が醸し出されている。【００４２】    次に、上記のように構成された本実施形態の収納容器の作用を説明する。
まず、収納容器１は、弾性変形可能な軟質材で形成されているので、誤って床板に落下させたり、家具に当たったりしても、その衝突エネルギを自身の弾性変形によりひずみエネルギとして吸収する。これにより、床板、家具等及び収納容器１が傷付くのが防止される。また、収納容器１内に収納された小物類などの収納物についても収納容器１の周壁３がクッション材となって保護される。【００４３】  更に、弾性変形可能な軟質材で形成されているとともに、リブの表裏両面に縫い目模様１１が形成され、周壁３の正面部５に、中央に線状溝１３を有し、なだらかな山状に膨出する２本の突条１２が斜めに交差した模様が形成されている。これらの形状が相俟って、収納容器１は全体として高級感が漂う皮革製品、レザー製品、布地製品様の風合いを醸し出している。【００４４】  そして、楕円の長軸の両側端の周壁３に一対のリブ１０が対向して上下方向に突設されているので、特に上下方向の剛性が大きくなり、全体的に大きく変形するのが防止される。更には、開口８の周縁部に一時的に本などを置いたりすることも可能である。【００４５】  また、図５に示すように、隣り合う机２１とキャビネット２２との間隔が狭い状態において、収納容器１がこの狭い隙間内に押し込まれたときなどで、正面部５及び背面部６の両側から押さえられるような外力が周壁３に加わった場合には、楕円の長軸の両側端部７周辺の周壁３が折れ曲がるように弾性変形することとなるが、この部分にリブ１０が上下方向に突設されていることによって補強されるので、この部分の周壁３が前記折れ曲がりによって引き伸ばされて薄肉となったり、亀裂が発生したりするのが防止される。【００４６】    加えて、開口８の周縁部に鍔部９を備えているので、弾性変形可能な軟質材で形成したものであっても、開口８の周縁部において所要の強度を確保することができる。【００４７】    ところで、上記実施形態の周壁３に設けた互いに斜めに交差する２本の突条１２は、周壁３において外部から見られ易い正面部５のみに形成しているが、背面部６にも形成してもよい。また、この突条１２は、２本が互いに斜めに交差する形態に形成しているが、本考案を実施する場合には、この形態に限られるものではなく、突条１２によって模様が形成されて皮革製品のような高級感を醸し出せれば、例えば、２本が互いに上下に直交する形態としてもよく、１本或いは３本以上形成した形態としてもよい。更に、突条１２による模様は皮革製品のようなイメージを与えるものに限定されるものではない。そして、突条１２以外の形状を形成するものとしてもよい。更には、周壁３の正面部５及び背面部６のいずれにも突条１２などの形状は形成しないものとしてもよい。【００４８】  また、上記実施形態の周壁３には手で把持できるような取手や取手孔を設けても良い。【００４９】  そして、上記実施形態の本体２は楕円筒状に形成しているが、円筒状、角筒状等に形成してもよく、更にはその他の形状であってもよく、任意の形状に形成することができる。【００５０】  加えて、上記実施形態の収納容器１は、屑入れに適用したものを示しているが、日用品、化粧品等の小物入れに適用することもでき、更には、他の、例えば、水などの液���、上砂等の粉粒体などを収納する容器として適用することもできる。
【図面の簡単な説明】
【００５１】
【図１】本考案の実施形態の収納容器を示す斜視図である。
【図２】図１の収納容器を示し、（ａ）は平面図、（ｂ）は正面図、（ｃ）は右側面図である。
【図３】図１の収納容器の断面図であり、（ａ）はＡ−Ａ切断線による断面図、（ｂ）はＢ−Ｂ切断線による断面図である。
【図４】図２（ｂ）のＣ−Ｃ切断線による断面図である。
【図５】本考案の実施形態の収納容器を机とキャビネットとの隙間に押し込んで置く状態を示す平面図である。
【符号の説明】
【００５２】  １；収納容器、２；本体、３；周壁、４；底壁、５；正面部、６；背面部、７；側端部、８；開口、９；鍔部、１０；リブ、１１；縫い目模様、１２；突条、１３；線状溝
【図１】
0003133174.tif 000003
【図２】
0003133174.tif 000004
【図３】
0003133174.tif 000005
【図４】
0003133174.tif 000006
【図５】
0003133174.tif 000007